(57)【要約】      （修正有）【課題】主に小型飾り物品を収納してカプセル内部の鑑賞を行なうと共に外部側では葉書等のカード類を立てておくことができるカプセル型収納容器を提供すること。【解決手段】台座Ａと、透明状のカバー体３とからなること。前記台座Ａの上部箇所にはカバー体３の開口側と接続する接続部２が形成され、且つカードを立てるクリップ部４が形成されること。該クリップ部４は、前記台座Ａの外周頂部より上方に突出する位置となるようにして形成され、前記クリップ部４はカバー体３の外周面との間に挟持部４ｓが生じるようにすること。【選択図】図１
0003114472.tif 000002
【実用新案登録請求の範囲】
【請求項１】
台座と、透明状のカバー体とからなり、前記台座の上部箇所にはカバー体の開口側と接続する接続部が形成され、且つカードを立てるクリップ部が形成されてなることを特徴とするカプセル型収納容器。
【請求項２】
台座と、透明状のカバー体とからなり、前記台座の上部箇所にはカバー体の開口側と接続する接続部が形成され、且つカードを立てるクリップ部が形成され、該クリップ部は、前記台座に形成され、前記クリップ部は台座の外周面との間に挟持部が形成されてなることを特徴とするカプセル型収納容器。
【請求項３】
台座と、透明状のカバー体とからなり、前記台座の上部箇所にはカバー体の開口側と接続する接続部が形成され、且つカードを立てるクリップ部が形成され、該クリップ部は、前記台座の外周頂部より上方に突出する位置となるようにして形成され、前記クリップ部はカバー体の外周面との間に挟持部が生じるようにしてなることを特徴とするカプセル型収納容器。
【請求項４】
台座と、透明状のカバー体とからなり、前記台座の上部箇所にはカバー体の開口側と接続する接続部が形成され、且つカードを立てるクリップ部が形成され、該クリップ部が前記カバー体の外周側面に形成され、前記クリップ部はカバー体の外周面との間に挟持部が生じるようにしてなることを特徴とするカプセル型収納容器。
【請求項５】
台座と、透明状のカバー体とからなり、前記台座の上部箇所にはカバー体の開口側と接続する接続部が形成され、且つカードを立てるクリップ部が形成され、前記台座には、抱持具が装着されてなることを特徴とするカプセル型収納容器。
【請求項６】
台座と、透明状のカバー体とからなり、前記台座の上部箇所にはカバー体の開口側と接続する接続部が形成され、且つカードを立てるクリップ部が形成され、前記台座には、抱持具が装着され、該抱持具は前記台座に着脱自在としてなることを特徴とするカプセル型収納容器。
【考案の詳細な説明】
【技術分野】
【０００１】
本考案は、主に小型飾り物品を収納してカプセル内部の鑑賞を行なうと共に外部側では葉書等のカード類を立てておくことができるカプセル型収納容器に関する。
【背景技術】
【０００２】
従来より種々の形状のカプセル型収納容器が存在している。これらの多くのものでは、カプセル本体が透明なプラスチック等の合成樹脂から成形されたものである。その収納物は、小型玩具が主であり、人形（フィギュアも含む），ミニチュアモデル等である。そして、収納容器はカプセル内部に収納物を収納して、保管する役目をなすと共に、カプセル外部から収納物を鑑賞することができるものである。
【特許文献１】特許第３２２９５９１号
【考案の開示】
【考案が解決しようとする課題】
【０００３】
この種のカプセル型収納容器として、その代表的なものが特許文献１として存在している。これらのものは、内部に収納物を収納するだけの役目に限定されたものがほとんどである。このカプセル型収納容器を単なる収納容器として使用することもあるが、このカプセル型収納容器を収納物の鑑賞用収納ケースとして机や棚等に飾っておく場合には、何らかの付加価値が求められている。本考案の目的は、このようなカプセル型収納容器において、収納物の保管，鑑賞のみでなく、カード類等を立てることができるようにして、付加価値を高めることにある。
【課題を解決するための手段】
【０００４】
そこで、考案者は上記課題を解決すべく鋭意研究を重ねた結果、請求項１の考案を台座と、透明状のカバー体とからなり、前記台座の上部箇所にはカバー体の開口側と接続する接続部が形成され、且つカードを立てるクリップ部が形成されてなるカプセル型収納容器としたことにより、上記課題を解決した。次に、請求項２の考案は、前述の構成において、前記クリップ部は、前記台座に形成され、前記クリップ部は台座の外周面との間に挟持部が生じるようにしてなるカプセル型収納容器としたことにより、上記課題を解決した。
【０００５】
請求項３の考案は、前述の構成において、前記クリップ部は、前記台座の外周頂部より上方に突出する位置となるようにして形成され、前記クリップ部はカバー体の外周面との間に挟持部が生じるようにしてなるカプセル型収納容器としたことにより、上記課題を解決した。
【０００６】
また、請求項４の考案は、前述の構成において、前記クリップ部が前記カバー体の外周側面に形成され、前記クリップ部はカバー体の外周面との間に挟持部が生じるようにしてなるカプセル型収納容器としたことにより、上記課題を解決した。さらに、請求項５の考案は、前述の構成において、前記台座には、抱持具が装着されてなるカプセル型収納容器としたことにより、上記課題を解決した。請求項６の考案は、前述の構成において、前記抱持具は前記台座に着脱自在としてなるカプセル型収納容器としたことにより、上記課題を解決したものである。
【考案の効果】
【０００７】
請求項１の考案によって、本考案のカプセル型収納容器は、内部に収納物を鑑賞可能に設置することができると共に、そのカプセル型収納容器の外部にカード等を立てることができるものである。次に、請求項２の考案によって、台座側にクリップ部が形成されることにより、クリップ部の位置が低い位置となり、カードをクリップ部によって立てた状態が安定し、比較的面積の広いカードを立てることができる。
【０００８】
次に、請求項３の考案は、クリップ部は、前記台座の外周頂部より上方に突出する位置となるようにして形成され、前記クリップ部はカバー体の外周面との間に挟持部が生じるようにしたことにより、台座側に形成されるクリップ部は、台座の頂部から突出するのみの最も簡単な形状であり、合成樹脂から成形する場合等では特にクリップ部の箇所における金型等の製造等が簡単となり、ひいては、本考案のカプセル型収納容器の製造を容易且つ安価に行なうことができる。
【０００９】
次に、請求項４の考案は、クリップ部がカバー体の外周側面に形成されるので、クリップ部の位置は高くなり、カードを高い位置に設置することが可能となる。次に、請求項５の考案は、台座には、抱持具が装着されることにより、どうしても不安定な設置になりがちな形状の収納物であっても、これを安定した状態で収納することができるものである。次に、請求項６の考案は、抱持具を前記台座に着脱自在としたので、安定した構造の収納物を収納するときには、抱持具を台座から外して使用することができるものである。
【考案を実施するための最良の形態】
【００１０】
以下、本考案の実施形態を、図面に基づいて説明する。まず、本考案は、図１，図２等に示すように、主に台座Ａは、透明状のカバー体３とから構成される。その台座Ａは、プラスチック等の合成樹脂から形成され、載置部１と接続部２とから構成される。前記載置部１は、図１（Ａ），図２（Ａ）に示すように、収納物６が配置されるステージ部１ａとスカート部１ｂとから形成されたものである。そのステージ部１ａは、略平坦状に形成されたものであり、該ステージ部１ａの外周を囲むようにしてスカート部１ｂが形成されている。
【００１１】
その台座Ａの上方に図１（Ａ），図２（Ａ）に示すように、接続部２が形成されている。該接続部２は、前記スカート部１ｂの内周側面が使用され、カバー体３の下端開口側が挿入且つ嵌合される構造となっている〔図２（Ｂ），（Ｃ）参照〕。さらに、具体的には、図１（Ａ），図２（Ａ）に示すように、その接続部２には、後述するカバー体３の嵌合突起片３ｂが嵌合可能な被嵌合孔２ａが形成されている。また、前記ステージ部１ａは、カバー体３が挿入するときのストッパとしての役目をなすものである。
【００１２】
そのカバー体３は、図１，図２等に示すように、透明なプラスチック等の合成樹脂から形成されたものである。該カバー体３は、カップ状に形成されたものであり、下部側に開口部３ａが位置している。そのカバー体３の下部には前記嵌合突起片３ｂが等間隔に形成されている。そして、カバー体３が前記台座Ａの接続部２に挿入されるようにして、押し込むことで、その嵌合突起片３ｂが前記被嵌合孔２ａに嵌合固定され、前記台座Ａとの接続部２に嵌合接続されるものである。
【００１３】
上記台座Ａ及びカバー体３は、図１に示すように、共に円筒形状に形成されている。すなわち、前記台座Ａのステージ部１ａは、円形状に形成され、前記スカート部１ｂは、そのステージ部１ａの周囲を囲む円筒形状として形成されたものである。また、前記スカート部１ｂは僅かにテーパが付けられた裁頭円錐形状を構成することもある。前記カバー体３は、前述したように、円筒状であるが、その頂部は略半球形状に形成されている。
【００１４】
そして、複数の前記被嵌合孔２ａ，２ａ，…は、円形のステージ部１ａに対して等角度となる位置に形成され、この複数の被嵌合孔２ａ，２ａ，…に対応する位置となるようにして前記嵌合突起片３ｂ，３ｂ，…がカバー体３の開口部３ａ周囲に形成されている〔図１（Ａ）参照〕。さらに、前記台座Ａ及びカバー体３は、断面が略正方形，長方形等の方形状に形成された角柱形状となるようにしたものも存在する。さらにまた、前記台座Ａ及びカバー体３の断面形状を三角形，五角形，六角形又はそれ以上の多角形とした、多面体に形成されることもある。また、前記台座Ａ及びカバー体３の断面形状を楕円形状等とすることもある。
【００１５】
前記台座Ａ又はカバー体３には、クリップ部４が形成されている。該クリップ部４は、葉書，写真，メモ等のカード類７を挟んで立てておく役目をなすものである。このクリップ構造は、前記クリップ部４が形成される箇所によって、複数の実施形態が存在する。まず、クリップ構造の第１の実施形態では、図１，図２に示すように、そのクリップ部４は、前記台座Ａ側に形成されたものである。そして、そのクリップ部４が、前記台座Ａに被せられた前記カバー体３との間にカードを挟持する挟持部４ｓが形成されるようにしたものである。
【００１６】
具体的には、そのクリップ部４は、台座Ａの載置部１の外周頂部であるスカート部１ｂの頂部から上方に突出するようにして爪形状に形成された爪状板片４ａとして形成されたものである。その爪状板片４ａの形状は、略半円形状としたり、長方形，正方形等の方形状としたり、或いは三角形状等としても良く、台座Ａの形状に合わせて相性のよい形状とすればよい。そして、この第１実施形態では、図２（Ｂ），（Ｃ），（Ｄ）に示すように、前記台座Ａ側に形成されたクリップ部４の爪状板片４ａと前記カバー体３の外周側面とにより、両者との間に挟持部４ｓが形成される〔図２（Ｃ）参照〕。
【００１７】
この挟持部４ｓに葉書，写真，ポートレート，プロマイド等のカード類７が挟持され、これらの種類のカード類７を立てておくことができる〔図３（Ａ），（Ｂ）参照〕。この第１実施形態におけるクリップ構造において、前記クリップ部４は、前記台座Ａのスカート部１ｂの頂部箇所に形成されるものであり、金型成形において、最も簡単なクリップ形状であり、成形性において極めて良好なものである。
【００１８】
次に、クリップ構造の第２実施形態では、図４に示すように、前記台座Ａのスカート部１ｂの外周側面との間に挟持部４ｓが生じるようにクリップ部４が形成されたものである。この場合、前記クリップ部４の付け根部分は、前記スカート部１ｂの外周側面の低位置箇所から折曲部４ｂが形成されたものである。そして、その折曲部４ｂから前記台座Ａの頂部に向かって爪状板片４ａが形成されたものである〔図４（Ｂ）参照〕。該爪状板片４ａとスカート部１ｂの外周側面との間に挟持部４ｓが生じるようになっている。この実施形態では、クリップ部４の形成位置が台座Ａ側の低い位置に形成することが可能となるので、前記クリップ部４によって立てられたカード類７も低い位置で支持され、特に安定した状態にできるものである。
【００１９】
次に、クリップ構造の第３実施形態では、図５に示すように、前記クリップ部４がカバー体３に形成されたものである。この実施形態におけるクリップ部４は、その付け根部分がカバー体３の外周側面に折曲部４ｂが形成されたものであり、その折曲部４ｂからカバー体３の頂部に向かって爪状板片４ａが形成されたものである。そして、該爪状板片４ａとカバー体３の外周側面との間に挟持部４ｓが生じるようになっている。この実施形態では、クリップ部４の形成位置がカバー体３側であるために、比較的高い位置に形成可能となり、前記クリップ部４によって立てられたカード類７も高い位置に設置できる。このとき、前記台座Ａに錘を装着しておけば、高い位置に設置されたカード類７をより安定した状態で立てておくことができる。
【００２０】
そのクリップ構造の第４実施形態では、図６に示すように、そのクリップ部４が前記台座Ａ（及びカバー体３）とは、相互に独立した別部材構造としたものである。具体的には、そのクリップ部４は、図６（Ｂ），（Ｃ）に示すように、前記台座Ａの下面側に嵌合接続することができる取付部４ｃが形成され、その外周箇所の適宜の位置に爪状板片４ａが形成されたものである。前記取付部４ｃは、略円板形状に形成されたもので、前記台座Ａの載置部１の底面と略同等又は僅かに広く形成されたものである。
【００２１】
そして、その取付部４ｃの表面には、図６（Ｂ），（Ｃ）に示すように、前記台座Ａの底面に嵌合固定可能な嵌合突起部４ｄが形成されている。また前記台座Ａは、その載置部１の底面が略逆カップ形状に形成されている。そして、前記取付部４ｃの嵌合突起部４ｄが、図６（Ｄ）に示すように、前記台座Ａの載置部１の底面に嵌合装着することで容易に接合することができる。この取付部４ｃが前記台座Ａの底面に接合されることにより、前記爪状板片４ａは、スカート部１ｂの外周側面との間に挟持部４ｓが形成されることになり、前記カード類７を挟持することができる〔図６（Ｄ），（Ｅ）参照〕。前記取付部４ｃは、前記台座Ａの形状に合わせて、円板形状としたものであって、該台座Ａの形状によって、長方形，正方形等の方形状としたり、或いは多角形状としたり、或いは楕円形状とすることもある。
【００２２】
また、図７は、クリップ構造の第４実施形態の変形例であって、前記クリップ部４は、前記台座Ａ（カバー体３）とは、相互に独立した別部材である。この変形例におけるクリップ部４の取付部４ｃは、図７（Ｂ），（Ｃ），（Ｄ）に示すように、前記爪状板片４ａと対向するように形成された板状片である。その爪状板片４ａと取付部４ｃとは、それぞれの下端箇所において折曲部４ｂで連結されている。そして、その爪状板片４ａと取付部４ｃとの間に挟持部４ｓが形成され、カード類７が挟持される〔図７（Ｄ）参照〕。
【００２３】
その取付部４ｃにおいて、前記爪状板片４ａと対向する側の反対側面が台座Ａのスカート部１ｂの外周側面又はカバー体３の外周側面に接合される。その接合構造としては、図７（Ｃ）に示すように、前記取付部４ｃの接合面に粘着テープｔが貼着され、該粘着テープｔを介して台座Ａ又はカバー体３に接合される。また、上記粘着テープｔを使用しないで、接着剤によって、取付部４ｃを前記台座Ａ又はカバー体３に接合しても構わない。
【００２４】
次に、前記ステージ部１ａには、抱持具５が装着されることがある。該抱持具５は、収納物６で、載置したときに不安定な状態となる物を安定した状態でステージ部１ａ上に支持する役目をなすものである。該抱持具５の形状としては、図２乃至図７等に示すように、花びらタイプのものである。まず中心部５ａは、前記ステージ部１ａに接合する部位であり、その中心部５ａの周囲に放射状に広がると共に上方に向かって複数の支持片５ｂ，５ｂ，…が形成されている。
【００２５】
該支持片５ｂ，５ｂ，…は、特に花弁又は蕚片形状をなしており、特に生花，造花の花びらのみを抱持具５に載置した状態では、あたかも花全体が収納されたように見えるものである〔図１（Ｃ），図２（Ｄ）等参照〕。前記中心部５ａには、連結軸５ａ1 が形成され、前記ステージ部１ａに穿孔された貫通孔に差し込んで装着するようになっている〔図８（Ａ）参照〕。そして、その抱持具５が前記ステージ部１ａから適宜に着脱自在とする実施形態も存在する。この場合には、必要に応じて抱持具５をステージ部１ａに装着すればよい。また、前記抱持具５の中心部５ａをステージ部１ａに予め、固着した状態にしておいても構わないものである。前記抱持具５の形状は、花びら形状，花弁又は蕚片形状としたものであるが、図８（Ｂ）に示すように、円形板，方形板等の板状に形成することもあり、特にこのように抱持具５を板状に形成する場合には、フィギュア等の収納に好適である。
【００２６】
また、本考案のカプセル型収納容器は、電報のパッケージとして使用することも可能である。この電報パッケージとしての使用については、図９に示すように、本考案のカプセル型収納容器の適宜の位置における周囲にリボン等の紐材８が巻き付けられる。そして、その紐材８の両端同士により結び目が形成される。さらに、前記結び目からの余り部分の紐部分を、ロール状に巻かれた前記電報文用紙９に巻き付けるようにして、カプセル型収納容器に電報文を装飾的に取り付けるものである。このようにして、電報を届けることにより、趣向の凝った電報配達にすることができる。
【図面の簡単な説明】
【００２７】
【図１】（Ａ）は本考案の第１実施形態における台座とカバー体とを分離した状態の斜視図、（Ｂ）は台座にカバー体を装着した状態の斜視図、（Ｃ）は本考案のカプセル型収納容器に花形の収納物を収納した状態の斜視図である。
【図２】（Ａ）は本考案の第１実施形態において台座とカバー体とを分離した状態の縦断側面図、（Ｂ）は台座にカバー体を装着した状態の縦断側面図、（Ｃ）は（Ａ）のイ部拡大図、（Ｄ）本考案の第１実施形態の側面図である。
【図３】（Ａ）は本考案のカプセル型収納容器のクリップ部を介してカードを立てた状態の斜視図、（Ｂ）は（Ａ）とは別の方向から見た斜視図である。
【図４】（Ａ）は本考案の第２実施形態の斜視図、（Ｂ）は（Ａ）の縦断側面図である。
【図５】（Ａ）は本考案の第３実施形態の斜視図、（Ｂ）は（Ａ）の縦断側面図である。
【図６】（Ａ）は本考案の第４実施形態の斜視図、（Ｂ）は台座とクリップ部とを分離した状態の斜視図、（Ｃ）は台座とクリップ部とを分離した状態の縦断側面図、（Ｄ）は挟持部にカード類が挟持された状態の縦断側面図、（Ｅ）は（Ｄ）のロ部拡大図である。
【図７】（Ａ）は本考案の第４実施形態の変形例を示す斜視図、（Ｂ）は台座とクリップ部とを分離した状態の縦断側面図、（Ｃ）は（Ｂ）のハ部拡大図、（Ｄ）は挟持部にカード類が挟持された状態の縦断側面図である。
【図８】（Ａ）は台座から抱持具を外した状態の縦断側面図、（Ｂ）はカプセル型収納容器に人形（フィギュア）を鑑賞状態に収納した縦断側面図である。
【図９】本考案のカプセル型収納容器を電報用パッケージとして使用した状態図である。
【符号の説明】
【００２８】
Ａ…台座、２…接続部、３…カバー体、３ａ…開口部、３ｂ…嵌合突起片、
４…クリップ部、４ｓ…挟持部。
【図１】
0003114472.tif 000003
【図２】
0003114472.tif 000004
【図３】
0003114472.tif 000005
【図４】
0003114472.tif 000006
【図５】
0003114472.tif 000007
【図６】
0003114472.tif 000008
【図７】
0003114472.tif 000009
【図８】
0003114472.tif 000010
【図９】
0003114472.tif 000011